(57)【要約】【課題】  簡単な構でコストが低減されると共に、インストルメントパネルへの取付精度が向上し、建付けが向上するようにしたメーターユニットの固定構造を提供する。【解決手段】  メーターユニット１１の下縁の両側付近に備えた二つの第一の取付部１２の横方向に延びる軸部１２ａを受容するようにインストルメントパネル側に設けた第一の固定部１５と、メーターユニットの上縁に備えた第二の取付部１３を螺着するようにインストルメントパネル側に設けた第二の固定部１６と、を含んでいるメーターユニットの固定構造１０であって、第一の固定部１５が、第一の取付部の軸部に対して後方から上側に僅かに被さるように延びる係止部１７と、第一の取付部の軸部の下側から前方で立ち上がるように延びる弾性を備えた係合部１８とから構成する。【選択図】  図１
2006175904.tif 000002
【特許請求の範囲】
【請求項１】
メーターユニットの下縁の両側付近に備えられた二つの第一の取付部の横方向に延びる軸部を受容するようにインストルメントパネル側に設けられた第一の固定部と、上記メーターユニットの上縁に備えられた第二の取付部を螺着するようにインストルメントパネル側に設けられた第二の固定部と、を含んでいるメーターユニットの固定構造であって、
上記第一の固定部が、上記第一の取付部の軸部に対して後方から上側に僅かに被さるように延びる係止部と、上記第一の取付部の軸部の下側から前方で立ち上がるように延びる弾性を備えた係合部と、から構成されていることを特徴とする、メーターユニットの固定構造。
【請求項２】
前記第一の固定部が、前記係合部内にて前記第一の取付部の軸部を係止部内に抑止するための爪部を備えていることを特徴とする、請求項１に記載のメーターユニットの固定構造。
【請求項３】
前記第一の固定部が、前記係止部の上端からほぼ同じ高さで後方に延びるリブを備えていることを特徴とする、請求項１又は２に記載のメーターユニットの固定構造。
【請求項４】
前記第一の固定部の係合部が、前記軸部を越えて上方に延びていることを特徴とする、請求項１〜３の何れかに記載のメーターユニットの固定構造。
【発明の詳細な説明】
【技術分野】
【０００１】
本発明は、自動車のメーターユニットのインストルメントパネルへの取付構造に関するものである。
【背景技術】
【０００２】
従来、自動車のメーターユニットは、例えば図５乃至図７に示すようにして、インストルメントパネルに取り付けられている。即ち、図５及び図７において、メーターユニット１は、その下端の両側付近に備えられ、横方向に延びる軸部２ａを有する二つの第一の取付部２と、上端の中央付近に備えられた第二の取付部３と、を備えている。ここで、第二の取付部３は、図７に示すように、上方に突出形成されており、この第二の取付部３には先端にネジ孔を備えた金属製のブラケット３ａが装着されるようになっている。
【０００３】
これに対して、インストルメントパネル４は、メーターユニット１を取り付けるためのメータークラスタ４ａの下縁に設けられた、第一の取付部２を受容するための二つの第一の固定部５と、メータークラスタ４ａの上縁裏側に設けられた、第二の取付部３に対向する第二の固定部６と、を備えている。ここで、第一の固定部５は、上述したメータークラスタ４ａの下縁にて前方に向かって突出するクリップ取付座５ａと、このクリップ取付座５ａに前方から装着される金属製のクリップ７と、から構成されている。
【０００４】
このクリップ７は、例えばバネ鋼から構成されており、図６に示すように、クリップ取付座５ａを上下から弾性的に挟持するクリップ部７ａと、その前縁にて、メーターユニット１の第一の取付部２の軸部２ａを受容するように上方に向かって開放した受け部７ｂと、から構成されている。
【０００５】
この受け部７ｂは、軸部２ａをその周囲方向に関して１８０度以上の角度範囲で包囲することにより、軸部２ａを弾性的に保持するようになっている。
【０００６】
さらに、クリップ７は、図５に示すように、そのクリップ部７ａの下側の部分が、前方に向かって延びる爪部７ｃを備えており、この爪部７ｃがクリップ取付座５ａに係合することにより、クリップ７がクリップ取付座５ａから脱落しないようになっている。
【０００７】
このような構成のメーターユニットの固定構造によれば、メーターユニット１は、以下のようにしてインストルメントパネル４に対して取り付けられる。
まず、メーターユニット１の第二の取付部３に対してブラケット３ａが装着されると共に、インストルメントパネル４の各第一の固定部５に対して、それぞれクリップ７が装着される。そして、この状態から、図５にて、メーターユニット１の上端がやや前方に傾斜した状態で、メーターユニット１の第一の取付部２の軸部２ａが、上方からクリップ７の受け部７ｂ内に押し込まれる。これにより、軸部２ａがクリップ７の受け部７ｂ内に保持されることになる。
【０００８】
続いて、メーターユニット１が、第一の取付部２の軸部２ａを回転中心として、上端が図５にて矢印Ａで示すように引き起こされる。これにより、ブラケット３ａが、インストルメントパネル４に設けられた第二の固定部６に対向することになる。そして、第二の固定部６の取付孔６ａに対して後方から取付ネジ８が挿入され、この取付ネジ８がブラケット３ａのネジ孔に螺合して、第二の取付部３が第二の固定部６に固定される。
このようにして、メーターユニット１は、インストルメントパネル４に対して取り付けられる。
【０００９】
これに対して、特許文献１には、インストルメントパネルの取付部に対して、メーターユニットを一側に設けた垂直な回転軸の周りに回動させることにより、正確に位置決めして取付けを行なうと共に、コネクタの接続を行なうようにしたメーターユニットの固定構造が開示されている。
【特許文献１】特開平１１−２６３１４９号公報
【発明の開示】
【発明が解決しようとする課題】
【００１０】
しかしながら、上述したメーターユニット１の取付構造においては、インストルメントパネル４とは別体の金属製のクリップ７が必要であり、部品点数が多くなり、組立工数が増えるので、コストが高くなってしまうと共に、リサイクルの際には、材料の異なるクリップ７をインストルメントパネル４から分離して回収する必要がある。
【００１１】
さらに、クリップ７を第一の固定部５のクリップ取付座５ａに装着する際に、クリップ７のクリップ取付座５ａに対する取付精度が比較的低くなってしまうので、メーターユニット１のインストルメントパネル４への建付けが悪くなってしまう。
【００１２】
また、特許文献１によるメーターユニットの固定構造においては、メーターユニットは、一側の回転軸のみによって位置決めされているので、インストルメントパネルへの取付精度が比較的低くなってしまう。
【００１３】
本発明は、以上の点に鑑み、簡単な構成により、コストが低減され得ると共に、インストルメントパネルへの取付精度が向上し、建付けが向上するようにしたメーターユニットの固定構造を提供することを目的としている。
【課題を解決するための手段】
【００１４】
上記目的は、本発明によれば、メーターユニットの下縁の両側付近に備えられた二つの第一の取付部の横方向に延びる軸部を受容するようにインストルメントパネル側に設けられた第一の固定部と、メーターユニットの上縁に備えられた第二の取付部を螺着するようにインストルメントパネル側に設けられた第二の固定部と、を含み、第一の固定部が、第一の取付部の軸部に対して後方から上側に僅かに被さるように延びる係止部と、第一の取付部の軸部の下側から前方で立ち上がるように延びる弾性を備えた係合部と、から構成されていることを特徴とするメーターユニットの固定構造により達成される。
【００１５】
本発明によるメーターユニットの固定構造は、好ましくは、第一の固定部が、その係合部内にて、第一の取付部の軸部を係止部内に抑止するための爪部を備えている。
【００１６】
本発明によるメーターユニットの固定構造は、好ましくは、第一の固定部が、その係止部の上端からほぼ同じ高さで後方に延びるリブを備えている。
【００１７】
本発明によるメーターユニットの固定構造は、好ましくは、第一の固定部の係合部が、軸部を越えて上方に延びている。
【発明の効果】
【００１８】
上記構成によれば、メーターユニットの下端に設けられた各第一の取付部の軸部が、インストルメントパネル側の第一の固定部の係止部と係合部との間に押し込まれることにより、メーターユニットの下端がインストルメントパネルに対して位置決めされ、固定保持される。また、メーターユニットの上端は、従来と同様に、その第二の取付部がインストルメントパネル側の第二の固定部に対してネジにより固定される。
【００１９】
従って、メーターユニットの下端が、従来のような金属製のクリップを使用せずに、インストルメントパネルと一体に成形された第一の固定部により正確に位置決めされるので、メーターユニットの取付精度が向上し、インストルメントパネルに対する建付けが向上する。さらに、リサイクルの際には別体の金属製のクリップを分離する必要がないので、容易にリサイクルが行なわれ得る。
【００２０】
さらに、上記第一の固定部が、その係合部内にて上記第一の取付部の軸部を係止部内に抑止するための爪部を備えている場合には、メーターユニットの下端に設けられた各第一の取付部の軸部が、インストルメントパネル側の第一の固定部の係止部と係合部との間に押し込まれたとき、この爪部によって上記軸部が第一の固定部の係止部内に抑止し、この係止部内における遊びが低減されるので、取付精度がより高められ、メーターユニットのインストルメントパネルに対する建付けがより一層向上する。
【００２１】
さらに、上記第一の固定部が、その係止部の上端からほぼ同じ高さで後方に延びるリブを備えている場合には、上記軸部がリブの上面に沿って前方に移動させることにより、メーターユニットの下端に設けられた各第一の取付部の軸部がインストルメントパネル側の第一の固定部の係止部と係合部との間に容易に導入される。
【００２２】
さらに、上記第一の固定部の係合部が、軸部を越えて上方に延びている場合には、上記軸部がリブの上面に沿って前方に移動させたとき、軸部がこの係合部に当接することによって、メーターユニットの下端に設けられた各第一の取付部の軸部がインストルメントパネル側の第一の固定部の係止部と係合部との間に確実に導入される。
【００２３】
このようにして、本発明によれば、簡単な構成により、部品点数が少なくて済み、部品コスト及び組立コストが低減されると共に、メーターユニットのインストルメントパネルに対する取付精度そして建付けが向上する。
【発明を実施するための最良の形態】
【００２４】
以下、図面に示した実施形態に基づいて、この発明を詳細に説明する。
図１乃至図４は、本発明の実施形態に係るメーターユニットの固定構造１０を示している。
【００２５】
図１に示すメーターユニットの固定構造１０において、メーターユニット１１は、図５乃至図７に示した従来のメーターユニット１と同じ構成であり、その下端の両側付近に備えられ、横方向に延びる軸部１２ａを有する二つの第一の取付部１２と、上端の中央付近に備えられた第二の取付部１３と、を備えている。ここで、第二の取付部１３は、図７に示す第二の取付部３と同様に、上方に突出して形成されていると共に、その先端に、ネジ孔を備えた金属製のブラケット１３ａが装着されるようになっている。
【００２６】
これに対して、インストルメントパネル１４は、メーターユニット１１を取り付けるためのメータークラスタ１４ａの下縁に設けられた、第一の取付部１２を受容するための二つの第一の固定部１５と、メータークラスタ１４ａの上縁裏側に設けられた、第二の取付部１３に対向する第二の固定部１６と、を備えている。
【００２７】
以上の構成は、図５乃至図７に示した従来のメーターユニットの固定構造と同じ構成であるが、本発明実施形態によるメーターユニットの固定構造１０は、以下の点で異なる構成になっている。
即ち、第一の取付部１２は、図２乃至図４に詳細に示すように、それぞれインストルメントパネル１４に対してそれぞれ一体成形された軸部１２ａを後方及び前方から挟持する係止部１７及び係合部１８と、この係合部１８内に備えられた爪部１９と、リブ２０と、を備えている。
【００２８】
係止部１７は、メーターユニット装着時に、メーターユニット１１の第一の取付部１２の軸部１２ａに対して後方から上側に僅かに被さるように延びている。
【００２９】
係合部１８は、軸部１２ａの下側から前方で立ち上がって延びるように、弾性を付与されて形成されている。ここで、係合部１８は、その先端が、軸部１２ａを越えて上方に延びている。さらに、係合部１８は、図３から明らかであるように、その幅が、軸部１２ａの全長より僅かに狭く選定されている。これにより、軸部１２ａが横方向にずれないように規制されている。
【００３０】
爪部１９は、図４に詳細に示すように、軸部１２ａを前方から係止部１７内に抑止するように係合部１８内に形成されている。これにより、軸部１２ａは、係止部１７と係合部１８により殆ど遊びなく、正確に位置決めされる。なお、爪部１９は、係止部１７に対して左右にずれた位置に配置されている。
【００３１】
リブ２０は、この係止部１７の上端からほぼ同じ高さで後方に延びるように形成されている。
【００３２】
本発明実施形態によるメーターユニットの固定構造１０は以上のように構成されており、メーターユニット１１は、次のようにしてインストルメントパネル１４に対して取り付けられる。
【００３３】
まず、メーターユニット１１の第二の取付部１３に対してブラケット１３ａが装着される。そして、この状態から、メーターユニット１１の上端がやや前方に傾斜した状態で、メーターユニット１１の第一の取付部１２の軸部１２ａが、図１にて鎖線Ａで示すように上方から第一の固定部１５のリブ２０上に載置される。
【００３４】
続いて、この軸部１２ａが、図１にて矢印Ｂで示すように、リブ２０上に沿って前方に移動され、軸部１２ａが係合部１８の先端に当たって、係合部１８と係止部１７との間に導入される。その際、係合部１８が弾性に抗して前方に変形することにより、軸部１２ａが下方へ移動する。その後、係合部１８が弾性に基づいて復元することにより、軸部１２ａが係止部１７と爪部１９の間に確実に係止される。これにより、軸部１２ａが、第一の固定部１５に対して正確に位置決めされ、固定保持されることになる。
【００３５】
続いて、メーターユニット１１が、第一の取付部１２の軸部１２ａを回転中心として、上端が図１にて矢印Ｃで示すように引き起こされる。これにより、ブラケット１３ａが、インストルメントパネル１４に設けられた第二の固定部１６に対向することになる。そして、第二の固定部１６の取付孔に対して後方から取付ネジ２１が挿入され、ブラケット１３ａのネジ孔に螺合し、第二の取付部１３が第二の固定部１６に固定される。
【００３６】
この場合、第一の固定部１５の係止部１７，係合部１８，爪部１９がすべてインストルメントパネル１４に対して一体成形されているので、メーターユニット１１は、インストルメントパネル１４に対して正確に位置決めされ、取り付けられる。従って、メーターユニット１１のインストルメントパネル１４に対する取付精度が向上し、メーターユニット１１の建付けが向上する。
【００３７】
また、メーターユニット１１を取り外す場合には、取付ネジ２１を外して、メーターユニット１１の上端を前方に傾斜させた状態にて、第一の固定部１５の係合部１８を適宜の工具によって前方に押し込むことにより、メーターユニット１１の第一の取付部１２の軸部１２ａが、第一の固定部１５の係止部１７と爪部１９そして係合部１８の間から容易に外れるので、メーターユニット１１が容易に取り外され得る。
【００３８】
さらに、自動車の廃車等により、インストルメントパネルを回収する際に、第一の固定部１５では従来のような金属製のクリップが使用されていないので、クリップの分離作業が不要となり、リサイクルが容易に行なわれる。
【００３９】
以上説明したが、本発明は、発明の趣旨を逸脱しない範囲において様々な形態で実施できる。例えば、上述した実施形態においては、第一の固定部１５は、係止部１７，係合部１８，爪部１９及びリブ２０から構成されているが、これに限らず、リブ２０そして爪部１９は、省略されてもよい。
【図面の簡単な説明】
【００４０】
【図１】本発明によるメーターユニットの固定構造の一実施形態の構成を示す概略縦断面図である。
【図２】図１のメーターユニットの固定構造におけるインストルメントパネル側の第一の固定部の部分拡大斜視図である。
【図３】図２のインストルメントパネル側の第一の固定部に対するメーターユニットの第一の取付部の取付状態を示す部分拡大斜視図である。
【図４】図３の取付状態における部分縦断面図である。
【図５】従来のメーターユニットの固定構造の構成を示す概略縦断面図である。
【図６】図５のメーターユニットの固定構造におけるインストルメントパネル側の第一の固定部で使用されるクリップの概略斜視図である。
【図７】図５のメーターユニットのインストルメントパネルへの取付状態を示す分解斜視図である。
【符号の説明】
【００４１】
１０    メーターユニットの固定構造
１１    メーターユニット
１２    第一の取付部
１２ａ  軸部
１３    第二の取付部
１３ａ  ブラケット
１４    インストルメントパネル
１４ａ  メータークラスタ
１５    第一の固定部
１６    第二の固定部
１７    係止部
１８    係合部
１９    爪部
２０    リブ
２１    取付ネジ
【図１】
2006175904.tif 000003
【図２】
2006175904.tif 000004
【図３】
2006175904.tif 000005
【図４】
2006175904.tif 000006
【図５】
2006175904.tif 000007
【図６】
2006175904.tif 000008
【図７】
2006175904.tif 000009